(57)【要約】【課題】有機ＥＬパネルと給電部とを結線する作業を省略することができる車両用灯具を提供する。【解決手段】灯具ユニット２０と、前記灯具ユニット２０が着脱可能に装着される装着部７０と、前記装着部７０に着脱可能に装着された前記灯具ユニット２０と前記装着部７０とを固定する第１固定手段と、を備え、前記灯具ユニット２０は、発光面４０ａ１を含む表面４０ａとその反対側の裏面４０ｂとを含む有機ＥＬパネル４０と、前記有機ＥＬパネル４０に電気的に接続された第１電極５４と、前記有機ＥＬパネル４０と前記第１電極５４とを保持する第１ブラケット３０と、を備え、前記装着部７０は、前記第１固定手段によって固定された前記灯具ユニット２０の前記第１電極５４が電気的に接続される第２電極８２を備える車両用灯具１０であることを特徴とする。【選択図】  図６
2019040693.tif 000002
【特許請求の範囲】
【請求項１】
灯具ユニットと、
前記灯具ユニットが着脱可能に装着される装着部と、
前記装着部に着脱可能に装着された前記灯具ユニットと前記装着部とを固定する第１固定手段と、を備え、
前記灯具ユニットは、
発光面を含む表面とその反対側の裏面とを含む有機ＥＬパネルと、
前記有機ＥＬパネルに電気的に接続された第１電極と、
前記有機ＥＬパネルと前記第１電極とを保持する第１ブラケットと、を備え、
前記装着部は、
前記第１固定手段によって固定された前記灯具ユニットの前記第１電極が電気的に接続される第２電極を備える車両用灯具。
【請求項２】
前記灯具ユニットは、前記有機ＥＬパネル及び前記第１電極が電気的に接続された抵抗、並びに、前記第１電極が実装された基板をさらに備え、
前記第１ブラケットは、前記有機ＥＬパネルを保持する第１保持部と、前記基板を保持する第２保持部と、を含む請求項１に記載の車両用灯具。
【請求項３】
前記有機ＥＬパネルの前記裏面側に配置された前記第１ブラケットと、
前記有機ＥＬパネルの前記表面側に配置された第２ブラケットと、
前記第１ブラケットと前記第２ブラケットとの間に前記有機ＥＬパネルを挟持した状態で前記第１ブラケットと前記第２ブラケットとを固定する第２固定手段と、
を備える請求項２に記載の車両用灯具。
【請求項４】
前記第１保持部は、第１方向に延びており、
前記第２保持部は、前記第１方向に交差する第２方向に延びている請求項３に記載の車両用灯具。
【請求項５】
前記第２保持部には、前記基板を収容する基板収容部が設けられ、
前記第２ブラケットには、前記第２固定手段が前記第１ブラケットと前記第２ブラケットとを固定した状態で、前記基板収容部に収容された前記基板を押さえる基板押さえ部が設けられる請求項３又は４に記載の車両用灯具。
【発明の詳細な説明】
【技術分野】
【０００１】
本発明は、車両用灯具に関し、特に、有機ＥＬパネルを用いた車両用灯具に関する。
【背景技術】
【０００２】
従来、発光面を含む表面とその反対側の裏面とを含む有機ＥＬパネルを用いた車両用灯具が提案されている（例えば、特許文献１参照）。
【先行技術文献】
【特許文献】
【０００３】
【特許文献１】欧州特許出願公開第２８８６９３６号明細書
【発明の概要】
【発明が解決しようとする課題】
【０００４】
しかしながら、特許文献１に記載の車両用灯具においては、有機ＥＬパネルと給電部とを、例えば、コネクタや給電ケーブルを用いて結線する作業を実施しなければならず、その分、組み立て工数が増加し、コストアップの要因になるという課題がある。
【０００５】
本発明は、上記事情に鑑みてなされたものであり、有機ＥＬパネルと給電部とを結線する作業を省略することができる車両用灯具を提供することを目的とする。
【課題を解決するための手段】
【０００６】
上記目的を達成するために、本発明の一つの側面は、灯具ユニットと、前記灯具ユニットが着脱可能に装着される装着部と、前記装着部に着脱可能に装着された前記灯具ユニットと前記装着部とを固定する第１固定手段と、を備え、前記灯具ユニットは、発光面を含む表面とその反対側の裏面とを含む有機ＥＬパネルと、前記有機ＥＬパネルに電気的に接続された第１電極と、前記有機ＥＬパネルと前記第１電極とを保持する第１ブラケットと、を備え、前記装着部は、前記第１固定手段によって固定された前記灯具ユニットの前記第１電極が電気的に接続される第２電極を備える車両用灯具であることを特徴とする。
【０００７】
この側面によれば、有機ＥＬパネルと給電部とを結線する作業を省略することができる車両用灯具を提供することができる。
【０００８】
これは、装着部に固定された灯具ユニットの第１電極が電気的に接続される第２電極を装着部が備えているため、有機ＥＬパネル（第１電極）と第２電極（給電部）とを結線する作業を行うことなく、灯具ユニット（有機ＥＬパネル）を装着部に固定するだけで（固定すると同時に）、有機ＥＬパネル（第１電極）と第２電極（給電部）とを電気的に接続することができることによるものである。
【０００９】
また、上記発明において好ましい態様は、前記灯具ユニットは、前記有機ＥＬパネル及び前記第１電極が電気的に接続された抵抗、並びに、前記第１電極が実装された基板をさらに備え、前記第１ブラケットは、前記有機ＥＬパネルを保持する第１保持部と、前記基板を保持する第２保持部と、を含むことを特徴とする。
【００１０】
この態様によれば、有機ＥＬパネルを一定の輝度で発光させることができる。
【００１１】
また、上記発明において好ましい態様は、前記有機ＥＬパネルの前記裏面側に配置された前記第１ブラケットと、前記有機ＥＬパネルの前記表面側に配置された第２ブラケットと、前記第１ブラケットと前記第２ブラケットとの間に前記有機ＥＬパネルを挟持した状態で前記第１ブラケットと前記第２ブラケットとを固定する第２固定手段と、を備えることを特徴とする。
【００１２】
この態様によれば、有機ＥＬパネルを保護した状態で保持することができる。
【００１３】
また、上記発明において好ましい態様は、前記第１保持部は、第１方向に延びており、前記第２保持部は、前記第１方向に交差する第２方向に延びていることを特徴とする。
【００１４】
この態様によれば、第１ブラケット及び第１ブラケットを用いた車両用灯具の第１方向の寸法を短くすることができる。
【００１５】
また、上記発明において好ましい態様は、前記第２保持部には、前記基板を収容する基板収容部が設けられ、前記第２ブラケットには、前記第２固定手段が前記第１ブラケットと前記第２ブラケットとを固定した状態で、前記基板収容部に収容された前記基板を押さえる基板押さえ部が設けられることを特徴とする。
【００１６】
この態様によれば、第１ブラケットと第２ブラケットとを固定することで、有機ＥＬパネル及び基板を同時に固定することができる。
【図面の簡単な説明】
【００１７】
【図１】車両用灯具１０の斜視図である
【図２】車両用灯具１０の分解斜視図である。
【図３】灯具ユニット２０の分解斜視図である。
【図４】灯具ユニット２０の分解斜視図である。
【図５】灯具ユニット２０の斜視図である。
【図６】図１のＡ−Ａ断面図である。
【図７】ハウジングの斜視図である。
【図８】車両用灯具１０（変形例）の斜視図である
【発明を実施するための形態】
【００１８】
以下、本発明の第１実施形態である車両用灯具１０について添付図面を参照しながら説明する。各図において対応する構成要素には同一の符号が付され、重複する説明は省略される。
【００１９】
図１は、車両用灯具１０の斜視図である。
【００２０】
図１に示す車両用灯具１０は、例えば、テールランプであり、車両（図示せず）の後端部の左側及び右側に搭載される。なお、以下、説明の便宜のため、ＸＹＺ軸を定義する。Ｘ軸は車両前後方向に延びており、Ｙ軸は車幅方向に延びており、Ｚ軸は鉛直方向に延びている。
【００２１】
図２は、車両用灯具１０の分解斜視図である。
【００２２】
図２に示すように、本実施形態の車両用灯具１０は、灯具ユニット２０Ａ、２０Ｂ、ハウジング７０を備える。ハウジング７０が本発明の装着部の一例である。灯具ユニット２０Ａ、２０Ｂの構成は共通しているので、以下、灯具ユニット２０Ａと灯具ユニット２０Ｂとを特に区別しない場合、灯具ユニット２０と記載する。なお、灯具ユニット２０の数は、特に限定されず、１つであってもよいし、３つ以上であってもよい。
【００２３】
図３、図４は、灯具ユニット２０の分解斜視図である。図５は、灯具ユニット２０の斜視図である。図６は、図１のＡ−Ａ断面図である。
【００２４】
図３、図４に示すように、灯具ユニット２０は、第１ブラケット３０、有機ＥＬパネル４０、サブ回路基板５０、第２ブラケット６０等を備える。
【００２５】
有機ＥＬパネル４０は、例えば、表面４０ａとその反対側の裏面４０ｂと少なくとも表面４０ａを覆うガラス板（図示せず）とを含むガラス基板タイプの有機ＥＬパネルである。なお、有機ＥＬパネル４０は、ガラス板を含まない、可撓性を備えるフレキシブルタイプの有機ＥＬパネルであってもよい。
【００２６】
有機ＥＬパネル４０の表面４０ａは、赤色光を発光する発光面４０ａ１と、当該発光面４０ａ１を取り囲む無発光領域４０ａ２と、を含む。無発光領域４０ａ２には、有機ＥＬパネル４０を駆動する電力を供給するための電極が設けられる。この電極には、給電ケーブル４２が電気的に接続される。なお、無発光領域４０ａ２は、発光面４０ａ１の全周を取り囲む場合もあるし、一部を取り囲む場合もある。
【００２７】
第１ブラケット３０は、有機ＥＬパネル４０の裏面４０ｂ側に配置される。第１ブラケット３０は、ＸＺ平面による断面がＬ字型の部材で、Ｌ字型の縦部を構成する第１保持部（以下、有機ＥＬパネル保持部３２という）と、Ｌ字型の横部を構成する第２保持部（以下、基板保持部３４という）と、を含む。
【００２８】
このように、有機ＥＬパネル保持部３２がＺ方向に延びており、基板保持部３４がＸ方向に延びているため、第１ブラケット３０及び第１ブラケット３０を用いた車両用灯具１０の縦方向（Ｚ方向）の寸法を短くすることができる。
【００２９】
有機ＥＬパネル保持部３２は、表面３２ａとその反対側の裏面３２ｂとを含む矩形板状部で、ＹＺ平面に対して平行に配置される。
【００３０】
有機ＥＬパネル保持部３２の表面３２ａは、有機ＥＬパネル４０が配置される矩形領域３２ａ１と、当該矩形領域３２ａ１に配置される有機ＥＬパネル４０を取り囲むように設けられた凸部３２ａ２と、を含む。この凸部３２ａ２により、有機ＥＬパネル４０の第１ブラケット３０及び第２ブラケット６０に対する上下左右方向の移動が規制される。
【００３１】
凸部３２ａ２には、有機ＥＬパネル４０の給電ケーブル４２が配置される切欠き部３２ａ３が設けられる。
【００３２】
有機ＥＬパネル保持部３２には、第１ブラケット３０に第２ブラケット６０を固定するために、第２ブラケット６０に設けられたフック部６６が係合する爪部３２ｃが設けられる。爪部３２ｃは、例えば、有機ＥＬパネル保持部３２の上端部（１箇所。図３、図４参照）、有機ＥＬパネル保持部３２の下端部（２箇所。図４参照）にそれぞれ設けられる。
【００３３】
基板保持部３４は、上面３４ａ（図３参照）とその反対側の下面３４ｂ（図４参照）とを含む矩形板状部で、ＸＹ平面に対して平行に配置される。基板保持部３４の正面側端部は、有機ＥＬパネル保持部３２の下端部に連結されている。
【００３４】
図４に示すように、基板保持部３４の下面３４ｂには、基板収容部３６が設けられる。
【００３５】
基板収容部３６は、基板収容空間Ｓ１を含む。基板収容空間Ｓ１は、ＸＹ平面に対して平行に配置された上面部３６ｂ及び下面部３６ｃ、ＸＺ平面に対して平行に配置された側面部３６ｄ、３６ｄ、並びに、ＹＺ平面に対して平行に配置された背面部３６ｅによって囲まれた空間で、正面側には、当該空間に連通する開口３６ａが設けられる。
【００３６】
サブ回路基板５０には、有機ＥＬパネル４０の給電ケーブル４２に設けられたプラグ４４が挿入されるコネクタ５２、第１電極５４、コネクタ５２（有機ＥＬパネル４０）及び第１電極５４が電気的に接続された抵抗（図示せず）等が実装される。
【００３７】
次に、サブ回路基板５０に実装された抵抗の技術的意義について説明する。
【００３８】
車両用灯具１０においては、有機ＥＬパネル４０は一定の輝度（明るさ）で発光することが求められる。
【００３９】
しかしながら、有機ＥＬパネル４０は、製造ばらつきに起因して、一定電力が供給されても、一定の輝度で発光するとは限らない。
【００４０】
そこで、サブ回路基板５０には、一定電力が供給された場合、有機ＥＬパネル４０が一定の輝度で発光するように考慮された抵抗値の抵抗が実装されている。これにより、有機ＥＬパネル４０を一定の輝度で発光させることができる。
【００４１】
サブ回路基板５０は、正面側に設けられた開口３６ａを介して基板収容部３６（基板収容空間Ｓ１）に挿入され、図５に示すように、第１電極５４が基板収容部３６の下面部３６ｃに設けられた切欠部３６ｃ１から露出した状態で基板収容部３６（基板収容空間Ｓ１）に収容される。
【００４２】
そして、サブ回路基板５０は、図６に示すように、その正面側端部が第２ブラケット６０に設けられた基板押さえ部６４によって押さえられることで基板保持部３４（基板収容部３６）に固定（保持）される。
【００４３】
図４に示すように、基板保持部３４の下面３４ｂ、かつ、基板収容部３６のＹ方向の両側には、それぞれ、ガイド部３８が設けられる。
【００４４】
ガイド部３８は、Ｘ方向に延びた第１ガイド部３８ａと、第１ガイド部３８ａの先端部（図４中上端部）から内側（Ｙ方向）に延びた第２ガイド部３８ｂと、を含む。
【００４５】
第１ガイド部３８ａと基板収容部３６の側面部３６ｄとの間には、ハウジング７０に設けられた第２フランジ部７４ｂ（図７参照）が挿入される空間Ｓ２が形成される。
【００４６】
第２ガイド部３８ｂと基板収容部３６の側面部３６ｄとの間には、ハウジング７０に設けられた第１フランジ部７４ａ（図７参照）が挿入される空間Ｓ３が形成される。
【００４７】
図３に示すように、基板保持部３４には、ハウジング７０に灯具ユニット２０を固定するために、ハウジング７０に設けられたフック部７８（図７参照）が係合する爪部３４ｃが設けられる。爪部３４ｃは、例えば、基板保持部３４の上面（２箇所）に設けられる。
【００４８】
上記構成の第１ブラケット３０は、例えば、アクリルやポリカーボネイト等の透明樹脂を射出成形することにより成形することができる。
【００４９】
図３、図４に示すように、第２ブラケット６０は、有機ＥＬパネル４０の表面４０ａ側に配置される。
【００５０】
第２ブラケット６０は、透明板６２、基板押さえ部６４、フック部６６を含む。
【００５１】
透明板６２は、有機ＥＬパネル４０の発光面４０ａ１が発光した光が透過する矩形板状の透明板で、ＹＺ平面に対して平行に配置される。透明板６２のサイズは、有機ＥＬパネル４０の発光面４０ａ１と同じ（又は略同じ）サイズである。透明板６２としては、当該透明板６２を透過する紫外線をカットする機能を備えるもの、例えば、紫外線をカットする機能を備えるアクリルやポリカーボネイト等の合成樹脂を用いて成形されたものや、ＵＶコーティングや紫外線保護フィルムが施されたものを用いるのが望ましい。これにより、有機ＥＬパネルの耐紫外線性（耐ＵＶ性）を向上させることができる。
【００５２】
透明板６２には、基板収容部３６（基板収容空間Ｓ１）に収容されたサブ回路基板５０の正面側端部を押さえるために、基板押さえ部６４が設けられる。基板押さえ部６４は、例えば、透明板６２の下端部（２箇所）に設けられる。
【００５３】
透明板６２には、第１ブラケット３０に第２ブラケット６０を固定するために、第１ブラケット３０（有機ＥＬパネル保持部３２）に設けられた爪部３２ｃが係合するフック部６６が設けられる。フック部６６は、例えば、透明板６２の上端部（１箇所）、透明板６２の下端部（２箇所）にそれぞれ設けられる。
【００５４】
図５に示すように、透明板６２に設けられた複数のフック部６６を第１ブラケット３０に設けられた複数の爪部３２ｃに係合させることで、図６に示すように、第１ブラケット３０と第２ブラケット６０との間に有機ＥＬパネル４０を挟持した状態で第１ブラケット３０と第２ブラケット６０とを固定することができる。これにより、有機ＥＬパネル４０を保護した状態で保持することができる。複数の爪部３２ｃ及び複数のフック部６６が本発明の第２固定手段の一例である。
【００５５】
その際、透明板６２の上端部に設けられたフック部６６は第１ブラケット３０（有機ＥＬパネル保持部３２）の背面側に配置されるため（図５（ｂ）参照）、当該透明板６２の上端部に設けられたフック部６６が正面から視認されるのが防止される。
【００５６】
また、図５に示すように、透明板６２に設けられた複数のフック部６６を第１ブラケット３０に設けられた複数の爪部３２ｃに係合させることで、図６に示すように、透明板６２に設けられた基板押さえ部６４と基板収容部３６の背面部３６ｅとの間にサブ回路基板５０を挟持した状態で第１ブラケット３０と第２ブラケット６０とを固定することができる。
【００５７】
このように、第１ブラケット３０と第２ブラケット６０とを固定することで、有機ＥＬパネル４０及びサブ回路基板５０を同時に固定（挟持）することができる。
【００５８】
図７は、ハウジングの斜視図である。
【００５９】
図７に示すように、ハウジング７０は、基板収容空間Ｓ４を含む。基板収容空間Ｓ４は、ＸＹ平面に対して平行に配置された上面部７２ｂ及び下面部７２ｃ、ＸＺ平面に対して平行に配置された側面部７２ｄ、７２ｄ、並びに、ＹＸ平面に対して平行に配置された背面部７２ｅ（図６参照）によって囲まれた空間で、正面側には、当該空間に連通する開口７２ａが設けられる。
【００６０】
メイン回路基板８０には、サブ回路基板５０に実装された第１電極５４に電気的に接続される第２電極８２等が実装される。第２電極８２は、バネ電極である。第２電極８２は、アーチ型のバネ電極であってもよいし、板バネ型のバネ電極であってもよいし、その他のバネ電極であってもよい。
【００６１】
メイン回路基板８０は、正面側に設けられた開口７２ａを介して基板収容空間Ｓ４に挿入され、図２に示すように、第２電極８２がハウジング７０の上面部７２ｂに設けられた開口７２ｂ１から突出した状態で基板収容空間Ｓ４に収容される。
【００６２】
メイン回路基板８０は、第２電極８２が開口７２ｂ１から突出することで、ハウジング７０（基板収容空間Ｓ４）に固定（保持）される。
【００６３】
メイン回路基板８０は、第２電極８２及び当該第２電極８２に電気的に接続された第１電極５４を介してサブ回路基板５０に一定電力を供給する。例えば、メイン回路基板８０は、電源（図示せず）から供給される電力を、灯具ユニット２０の個数や点灯パターンに応じた一定電力に調整し、その調整後の一定電力を、第２電極８２及び当該第２電極８２に電気的に接続された第１電極５４を介してサブ回路基板５０に供給する。この場合、メイン回路基板８０（第２電極８２）が給電部として機能する。
【００６４】
図７に示すように、ハウジング７０の上面部７２ｂの上面、かつ、開口７２ｂ１のＹ方向の両側には、それぞれ、フランジ部７４が設けられる。
【００６５】
フランジ部７４は、Ｘ方向に延びた第１フランジ部７４ａと、第１フランジ部７４ａの先端部（図７中上端部）から外側（Ｙ方向）に延びた第２フランジ部７４ｂと、を含む。
【００６６】
第１フランジ部７４ａは、第１ブラケット３０の第２ガイド部３８ｂと基板収容部３６の側面部３６ｄとの間の空間Ｓ３（図４参照）に挿入される。
【００６７】
第２フランジ部７４ｂは、第１ブラケット３０の第１ガイド部３８ａと基板収容部３６の側面部３６ｄとの間の空間Ｓ２（図４参照）に挿入される。
【００６８】
また、ハウジング７０の上面部７２ｂには、灯具ユニット２０（第１ブラケット３０）が当接する壁部７６が設けられる。壁部７６には、ハウジング７０に灯具ユニット２０を固定するために、第１ブラケット３０に設けられた爪部３４ｃが係合するフック部７８が設けられる。フック部７８は、例えば、壁部７６の２箇所に設けられる。
【００６９】
上記構成のハウジング７０は、例えば、アクリルやポリカーボネイト等の透明樹脂を用いて射出成形することにより成形することができる。
【００７０】
灯具ユニット２０は、次のようにして、ハウジング７０に装着される。
【００７１】
まず、灯具ユニット２０を図２に示す矢印Ｆ方向に移動させて、灯具ユニット２０に設けられたガイド部３８と基板収容部３６の側面部３６ｄとの間の空間Ｓ２、Ｓ３（図４参照）に、ハウジング７０に設けられたフランジ部７４（第１フランジ部７４ａ及び第２フランジ部７４ｂ）を挿入する。
【００７２】
次に、灯具ユニット２０（基板保持部３４）がハウジング７０に設けられた壁部７６に当接するまで（図６参照）、灯具ユニット２０をガイド部３８（第１ガイド部３８ａ及び第２ガイド部３８ｂ）に沿って矢印Ｆ方向に移動（スライド移動）させて、ハウジング７０に設けられた複数のフック部７８を灯具ユニット２０に設けられた複数の爪部３４ｃに係合させる。これにより、灯具ユニット２０は、ハウジング７０に対して位置決めされ、かつ、第１電極５４と第２電極８２とが電気的に接続した状態でハウジング７０に固定される（図６参照）。複数の爪部３４ｃ及び複数のフック部７８が本発明の第１固定手段の一例である。
【００７３】
このように、有機ＥＬパネル４０（第１電極５４）と第２電極８２（給電部）とを結線する作業を行うことなく、灯具ユニット２０（有機ＥＬパネル４０）をハウジング７０に固定するだけで（固定すると同時に）、有機ＥＬパネル４０（第１電極５４）と第２電極８２（給電部）とを電気的に接続することができる。
【００７４】
灯具ユニット２０は、複数のフック部７８の複数の爪部３４ｃに対する係合を解除し、上記手順と逆の手順を踏むことで、ハウジング７０から取り外すことができる。
【００７５】
したがって、例えば、灯具ユニット２０が故障した場合、当該故障した灯具ユニット２０を容易にハウジング７０から取り外すことができる。また、故障した灯具ユニット２０に代えて、故障していない灯具ユニット２０を容易にハウジング７０に装着することができる。
【００７６】
以上説明したように、本実施形態によれば、有機ＥＬパネル４０（第１電極５４）とメイン回路基板８０の第２電極８２（給電部）とを結線する作業を省略することができる車両用灯具１０を提供することができる。
【００７７】
これは、ハウジング７０に固定された灯具ユニット２０の第１電極５４が電気的に接続される第２電極８２をハウジング７０が備えているため、有機ＥＬパネル４０（第１電極５４）と第２電極８２（給電部）とを結線する作業を行うことなく、灯具ユニット２０（有機ＥＬパネル４０）をハウジング７０に固定するだけで（固定すると同時に）、有機ＥＬパネル４０（第１電極５４）と第２電極８２（給電部）とを電気的に接続することができることによるものである。
【００７８】
また、本実施形態によれば、ある灯具ユニット２０が故障した場合、当該故障した灯具ユニット２０をハウジング７０から取り外し、故障していない灯具ユニット２０をハウジング７０に装着することができる。すなわち、灯具ユニット２０の部分的な交換が可能となる。
【００７９】
次に、変形例について説明する。
【００８０】
上記実施形態では、本発明の車両用灯具をテールランプに適用した例について説明したが、これに限らない。例えば、テールランプ以外のポジションランプやストップランプやターンランプやサイドマーカーランプや車両用前照灯にも本発明の車両用灯具を適用してもよい。また、本発明の車両用灯具を適用することで、テールランプ、ストップランプ、ターンランプ等を含むリアコンビネーションランプを構成することもできる。
【００８１】
また、上記実施形態では、灯具ユニット２０とハウジング７０とを固定する第１固定手段として、複数の爪部３４ｃと複数のフック部７８とを用いた例について説明したが、これに限らない。
【００８２】
例えば、灯具ユニット２０とハウジング７０とを固定する第１固定手段として、ネジ、その他の固定手段を用いてもよい。
【００８３】
また、上記実施形態では、複数の爪部３４ｃを灯具ユニット２０に設け、複数のフック部７８をハウジング７０に設けた例について説明したが、これに限らない。例えば、複数の爪部３４ｃをハウジング７０に設け、複数のフック部７８を灯具ユニット２０に設けてもよい。
【００８４】
また、上記実施形態では、第１ブラケット３０と第２ブラケット６０とを固定する第２固定手段として、複数の爪部３２ｃと複数のフック部６６とを用いた例について説明したが、これに限らない。
【００８５】
例えば、第１ブラケット３０と第２ブラケット６０とを固定する第２固定手段として、ネジ、接着剤、その他の固定手段を用いてもよい。
【００８６】
また、上記実施形態では、複数の爪部３２ｃを第１ブラケット３０に設け、複数のフック部６６を第２ブラケット６０に設けた例について説明したが、これに限らない。例えば、複数の爪部３２ｃを第２ブラケット６０に設け、複数のフック部６６を第１ブラケット３０に設けてもよい。
【００８７】
また、上記実施形態では、有機ＥＬパネル保持部３２がＹＺ平面に対して平行に配置され、基板保持部３４がＸＹ平面に対して平行に配置されている例について説明したが、これに限らない。
【００８８】
例えば、図８に示すように、有機ＥＬパネル保持部３２及び基板保持部３４がいずれもＹＺ平面に対して平行に配置されていてもよい。
【００８９】
また、上記実施形態では、ガイド部３８（図４参照）を灯具ユニット２０に設け、フランジ部７４（図７参照）をハウジング７０に設けた例について説明したが、これに限らない。例えば、ガイド部３８をハウジング７０に設け、フランジ部７４を灯具ユニット２０に設けてもよい。
【００９０】
また、上記実施形態では、抵抗をサブ回路基板５０に設けた例について説明したが、これに限らない。例えば、抵抗をメイン回路基板８０、又は、サブ回路基板５０とメイン回路基板８０の間に設けてもよい。
【００９１】
また、上記実施形態では、サブ回路基板５０の第１電極５４として平面状の配線パターンを用い、メイン回路基板８０の第２電極８２としてバネ電極を用いた例について説明したが、これに限らない。例えば、サブ回路基板５０の第１電極５４としてバネ電極を用い、メイン回路基板８０の第２電極８２として平面状の配線パターンを用いてもよい。
【００９２】
上記各実施形態で示した各数値は全て例示であり、これと異なる適宜の数値を用いることができるのは無論である。
【００９３】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【００９４】
１０…車両用灯具、２０…灯具ユニット、３０…第１ブラケット、３２…有機ＥＬパネル保持部、３２ａ…表面、３２ａ１…矩形領域、３２ａ２…凸部、３２ａ３…切欠き部、３２ｂ…裏面、３２ｃ…爪部、３４…基板保持部、３４ａ…上面、３４ｂ…下面、３４ｃ…爪部、３６…基板収容部、３６ａ…開口、３６ｂ…上面部、３６ｃ…下面部、３６ｃ１…切欠部、３６ｄ…側面部、３６ｅ…背面部、３８…ガイド部、３８ａ…第１ガイド部、３８ｂ…第２ガイド部、４０…有機ＥＬパネル、４０ａ…表面、４０ａ１…発光面、４０ａ２…無発光領域、４０ｂ…裏面、４２…給電ケーブル、４４…プラグ、５０…サブ回路基板、５２…コネクタ、５４…第１電極、６０…第２ブラケット、６２…透明板、６４…基板押さえ部、６６…フック部、７０…ハウジング、７２ａ…開口、７２ｂ…上面部、７２ｂ１…開口、７２ｃ…下面部、７２ｄ…側面部、７２ｅ…背面部、７４…フランジ部、７４ａ…第１フランジ部、７４ｂ…第２フランジ部、７６…壁部、７８…フック部、８０…メイン回路基板、８２…第２電極、Ｓ１…基板収容空間、Ｓ２、Ｓ３…空間、Ｓ４…基板収容空間
【図１】
2019040693.tif 000003
【図２】
2019040693.tif 000004
【図３】
2019040693.tif 000005
【図４】
2019040693.tif 000006
【図５】
2019040693.tif 000007
【図６】
2019040693.tif 000008
【図７】
2019040693.tif 000009
【図８】
2019040693.tif 000010